(57)【特許請求の範囲】
【請求項１】
室内外を仕切る隔壁に室内外を貫通する状態に取付けられる風洞と、この風洞内に取付けられ、同風洞に換気流を形成する送風機と、前記風洞の室外側の開口部に設けられ、同風洞を開閉する着脱可能な開閉シャッターとを備えたシャッター付き換気装置であって、
中央が開口した中心部分を外周部分から取り外し可能な分割構造であり、前記送風機の羽根車を前記風洞の室内側において覆うように設置され、前記中心部分が前記風洞の室外側から前記外周部分に対して着脱可能で椀形に構成された羽根ガードと、
貫通穴を備えた先端部分が前記羽根ガードの前記中心部分まで延在するように前記羽根ガードよりも室内側に設置された取付脚と、
前記羽根ガードよりも室内側にネジ取付部分が位置するように前記中心部分の中央の開口に配置され、前記ネジ取付部分が室内側から固定ネジで前記取付脚の先端部分と共締めされることによって、前記取付脚に固定された前記送風機のモータとを有し、
前記中心部分を前記外周部分から取り外すことにより、前記外周部分と前記モータとの間が開放されて、前記ネジ取付部分及び前記取付脚の先端部分が前記開放された部分に位置し、前記固定ネジが室外側から着脱可能であることを特徴とするシャッター付き換気装置。
【請求項２】
前記開閉シャッターが、前記風洞に室外側から着脱できる内枠と、この内枠に対して回動可能に横架状に枢支したブレードとの組付体として構成されたことを特徴とする請求項１記載のシャッター付き換気装置。
【発明の詳細な説明】
【０００１】
【発明の属する技術分野】
本発明は、建物の外壁等に設置して建物内の換気を行うシャッター付き換気装置に関するものである。
【０００２】
【従来の技術】
上記この種のシャッター付き換気装置は、送風機を組付けた風洞の室外に望む室外側の開口部に開閉シャッターを備え、風洞の室内に臨む室内側の開口部には羽根ガードが設けられている。開閉シャッターの多くは、送風機による換気流により風洞の両側面間に横架状に枢着された数枚のブレードが垂直面内を回動して風洞の室外側の開口部を開閉する構成が採られている。羽根ガードは、半径方向に放射状に配置された支持部材に線材で形成されたループ材が渦巻状に取付けられた椀形をしていて、風洞の室内側の開口部を覆うように送風機のモーターの取付脚にその支持部材において固定されている。
【０００３】
【発明が解決しようとする課題】
上記した従来のシャッター付き換気装置においては、室内側からしか保守・点検が実施できない構成となっている。例えば、特開平５―３４０５７９号公報に示されているシャッター付き換気装置も、質量の大きい送風機部分を支える構造を設置構造に固定する風洞の取付フランジに設けて、送風機部分の着脱をし易くする工夫が講じられているものの、シャッターや送風機等についての保守・点検については全て室内側から行う構成が採られている。
【０００４】
しかしながら、室内側からの保守・点検は事実上無理な状態や作業し難いことがある。例えば、ハウス農法に必要不可欠なハウス内換気を行う農業用のシャッター付き換気装置においては、ハウス内は、播種、育苗、生育、収穫といったように室内の状態が大きく変化し、作物を損傷せずにハウス内からシャッター付き換気装置の保守・点検を行うことは難しい。
【０００５】
本発明は、係る従来の問題点を解決するためになされたものであって、その課題とするところは、室外側から保守・点検のできるシャッター付き換気装置を開発することであり、そのシャッター付き換気装置のメンテナンス性の向上を推進することである。
【０００６】
【課題を解決するための手段】
前記課題を達成するために請求項1の発明は、室内外を仕切る隔壁に室内外を貫通する状態に取付けられる風洞と、風洞内に取付けられ、風洞に換気流を形成する送風機と、風洞の室外側の開口部に設けられ、風洞を開閉する開閉シャッターとを備えたシャッター付き換気装置について、その開閉シャッターを風洞に室外側から着脱できる内枠と、内枠に対して回動可能に横架状に枢支したブレードとの組付体として構成する手段を採用する。
【０００７】
前記課題を達成するために請求項２の発明は、請求項１に係る前記手段における風洞の室内側に、送風機の羽根車を覆う線状材で構成した椀形の羽根ガードを設け、この羽根ガードを外周部分と中心部分とに分割可能の分割構造とし、中心部分を風洞の室外側から外周部分に対して着脱できるようにする手段を採用する。
【０００８】
前記課題を達成するために請求項３の発明は、請求項１又は請求項２のいずれかに係る前記手段における風洞の室内側に、取付脚で送風機のモーターを固定し、モーターを風洞の室外側から着脱できるようにする手段を採用する。
【０００９】
【発明の実施の形態】
図１〜図４によって示す本実施の形態は、シャッター付き換気装置に関するものであり、風洞１内に組付けられた送風機２への通電とともに換気流により開成し、断電とともに換気流がなくなることにより閉成する開閉シャッター３が風洞１の室外側の開口部４に備えられている。送風機２は、図４に示すようにモーター５と、モーター５の回転軸に着脱可能に装着された羽根車６とからなり、風洞１の室内側の開口部にモーター５が、風洞１の室内側の開口部を覆う羽根ガード７を跨ぐ数本の取付脚８により取付けられ、羽根車６が風洞１内の中心線上で回転できるように組付けられている。
【００１０】
羽根ガード７は、図４に示すように半径方向に放射状に配置された支持部材９に線状材で形成されたループ材１０が渦巻状に取付けられた椀形に構成され、風洞１の室内側の開口部を覆うように取付脚８にその支持部材９において係止手段１４により固定されている。羽根ガード７の中心部は、送風機２のモーター５の外殻の一端側が室内側に呈出するよう円形に開放していて、モーター５と取付脚８とのネジ取付部分１１は、図１に示すように羽根ガード７の外（室内側）に位置している。この羽根ガード７は、外周部分１２と中心部分１３とに分割可能な分割構造が採られ、中心部分１３と取付脚８とが係止手段１４により係止されている。
【００１１】
開閉シャッター３は、送風機による換気流により連結棒間と内枠１５とに横架状に枢着された数枚のブレード１６が垂直面内を回動して風洞１の室外側の開口部４を開閉する構成である。この開閉シャッター３の内枠１５は、風洞１の室外側の開口部４から風洞１に内嵌めされ、風洞１の外側からねじ込まれた数本の取付ネジ１７によって固定されている。即ち、開閉シャッター３は、取付ネジ１７を外し内枠１５を風洞１の室外側の開口部４から引抜けば、ブレード１６や連結棒の取外しが一括して可能な組付体として構成されている。ギヤードモーターの給電系統の配線はコネクタで接続離脱可能に構成され、コネクタの切り離しによって開閉シャッター３全体を風洞１から分離させ、その保守・点検を行うことができる。
【００１２】
内枠１５を風洞１から外せば、図３に示すように風洞１の室外側の開口部４は開放状態になり、ここからの操作で図４に示すように送風機２の羽根車６をモーター５から取外すことができ、羽根車６の保守・点検を行うことができる。羽根車６を外せば、モーター５が風洞１内に現れるが、モーター５の取付脚８へのネジ取付部分１１は羽根ガード７より室内側にあるため、このままではモーター５を室外側から外すことはできない。本実施の形態のシャッター付き換気装置の羽根ガード７は、取付脚８と中心部分１３とが係止手段１４により係止されているため、係止手段１４を外すことによって中心部分１３を風洞１の室外側の開口部４から外すことができる。羽根ガード７の中心部分１３を外せば、モーター５と取付脚８とのネジ取付部分１１は大きく開放した羽根ガード７の中央部分に位置し、ここからの操作で固定ネジを外してモーター５を風洞１の室外側の開口部４から外し、保守・点検を行うことができる。保守・点検後の組付けは、取外しとは逆の手順で行えばよい。
【００１３】
このように、このシャッター付き換気装置は、主要部の全てを室外側から取り外して保守・点検を行うことができる。従って、ハウス栽培でのハウス内換気用に用いた場合、ハウス内の作物を傷めたりすることなくハウスの外からメンテナンスができるので便利である。また、工場や倉庫等で機器や物品で室内側からの保守・点検が困難になるようなところでも、保守・点検に係る有効性が発揮できる。
【００１４】
【発明の効果】
請求項1の発明によれば、室外側からシャッター及び風洞内の保守・点検が可能なシャッター付き換気装置が得られる。
【００１５】
請求項２の発明によれば、請求項１に係る前記効果とともに室外側から送風機の保守・点検が実施でき、メンテナンス性が向上する。
【００１６】
請求項３の発明によれば、請求項１又は請求項２のいずれかに係る前記効果とともに室外側から送風機のモーターの保守・点検が実施でき、メンテナンス性が向上する。
【図面の簡単な説明】
【図１】  実施の形態のシャッター付き換気装置を一部を破断して示す側面図である。
【図２】  実施の形態のシャッター付き換気装置の背面図である。
【図３】  実施の形態のシャッター付き換気装置の風洞と開閉シャッターの関係を示す斜視図である。
【図４】  実施の形態のシャッター付き換気装置の分解状態を示す斜視図である。
【符号の説明】
１  風洞、  ２  送風機、  ３  開閉シャッター、  ４  開口部、  ５  モーター、  ６  羽根車、  ７  羽根ガード、  １２  外周部分、  １３  中心部分、  １５  内枠、  １６  ブレード。
【図１】
0004610813.tif 000002
【図２】
0004610813.tif 000003
【図３】
0004610813.tif 000004
【図４】
0004610813.tif 000005